(57)【要約】【課題】１つの画像表示装置で複数の視聴者が３Ｄ画像を視聴する際に、３Ｄ画像の明るさを向上させることができる画像表示装置が望まれる。【解決手段】画像表示装置は、立体画像の生成が可能な画像生成部と、視聴者の左目に対する光の透過及び遮断が可能な左目用シャッタと、視聴者の右目に対する光の透過及び遮断が可能な右目用シャッタと、を含む複数のシャッタ眼鏡と、左目用シャッタ及び右目用シャッタの開閉を制御可能なシャッタ制御部と、を備えている。画像生成部が立体画像を生成し、シャッタ制御部に出力する。シャッタ制御部では、画像生成部の生成した立体画像から、シャッタ眼鏡のうち左目又は右目のシャッタのうちいずれかのシャッタの開閉を共通して制御する。そして、共通して開閉制御を行わなかった他方のシャッタを独立して制御する。【選択図】図１
2012204915.tif 000002
【特許請求の範囲】
【請求項１】
立体画像の生成が可能な画像生成部と、
視聴者の左目に対する光の透過及び遮断が可能な左目用シャッタと、視聴者の右目に対する光の透過及び遮断が可能な右目用シャッタと、を含む複数のシャッタ眼鏡と、
前記左目用シャッタ及び前記右目用シャッタの開閉を制御可能なシャッタ制御部と、
を備え、
前記シャッタ制御部は、前記画像生成部が生成する立体画像に基づいて、前記複数のシャッタ眼鏡の前記左目用シャッタ又は前記右目用シャッタのいずれかの開閉制御を共通して行なうと共に、前記左目用シャッタ又は右目用シャッタの開閉制御を共通して行なうシャッタとは異なる前記左目用シャッタ又は前記右目用シャッタの開閉制御を前記複数のシャッタ眼鏡ごとに独立して行なうことを特徴とする画像表示装置。
【請求項２】
前記画像生成部は、複数の視聴者の左目又は右目に共通して視聴させる画像であることを示す第１の情報、又は、複数の視聴者のうち１人の視聴者の左目又は右目に視聴させる画像であることを示す第２の情報、を含む立体画像を生成する請求項１の画像表示装置。
【請求項３】
前記シャッタ制御部は、前記第１の情報に基づいて、前記複数のシャッタ眼鏡の前記左目用シャッタ又は前記右目用シャッタの開閉制御を共通して行なう共通シャッタコントローラと、前記第２の情報に基づいて、前記複数のシャッタ眼鏡ごとに前記左目用シャッタ又は前記右目用シャッタの開閉制御を独立して行なう独立シャッタコントローラと、を含む請求項２の画像表示装置。
【請求項４】
立体画像の生成が可能な画像生成部と、
視聴者の左目に対する光の透過及び遮断が可能な左目用シャッタと、視聴者の右目に対する光の透過及び遮断が可能な右目用シャッタと、を含む複数のシャッタ眼鏡と、
を備える画像表示装置の制御方法であって、
前記画像生成部が生成する立体画像に基づいて、前記複数のシャッタ眼鏡の前記左目用シャッタ又は前記右目用シャッタのいずれかの開閉制御を共通して行なう工程と、
前記左目用シャッタ又は右目用シャッタの開閉制御を共通して行なうシャッタとは異なる前記左目用シャッタ又は前記右目用シャッタの開閉制御を前記複数のシャッタ眼鏡ごとに独立して行う工程と、
を含むことを特徴とする画像表示装置の制御方法。
【請求項５】
立体画像の生成が可能な画像生成部と、
視聴者の左目に対する光の透過及び遮断が可能な左目用シャッタと、視聴者の右目に対する光の透過及び遮断が可能な右目用シャッタと、を含む複数のシャッタ眼鏡と、
を備える画像表示装置を制御するコンピュータに実行させるプログラムであって、
前記画像生成部が生成する立体画像に基づいて、前記複数のシャッタ眼鏡の前記左目用シャッタ又は前記右目用シャッタのいずれかの開閉制御を共通して行なう処理と、
前記左目用シャッタ又は右目用シャッタの開閉制御を共通して行なうシャッタとは異なる前記左目用シャッタ又は前記右目用シャッタの開閉制御を前記複数のシャッタ眼鏡ごとに独立して行う処理と、
を実行するプログラム。
【発明の詳細な説明】
【技術分野】
【０００１】
本発明は、画像表示装置、その制御方法及びプログラムに関する。特に、立体画像（３Ｄ画像）を表示する画像表示装置、その制御方法及びプログラムに関する。
【背景技術】
【０００２】
３Ｄ画像は平面画像と比較すると、より高度な表現が可能であり、近年の画像表示技術の進歩に伴ってその注目度が高まっている。同時に、３Ｄテレビ等の普及により、視聴者に臨場感を与える３Ｄ映像に対応したメディアが増加している。
【０００３】
３Ｄ画像の再生には、左目と右目の視差によって空間を３次元として認知（錯覚）することを利用する方法が多く採用されている。しかし、このような方法では、画像表示装置に対して正面に位置する視聴者は３Ｄ画像の制作者の意図した通りの画像を見ることができるが、画像表示装置に対する位置によっては正しく（制作者の意図通りの）３Ｄ画像を見ることができない場合がある。画像表示装置に対する位置によっては、視野にずれが生じるためである。特に、画像表示装置の画面を斜めの位置から視聴し、左目用と右目用の画像の形や大きさを異なって認識してしまう場合や、両目の視差が大きすぎる場合に、３Ｄ画像として認識できない可能性がある。即ち、画像表示装置を視聴する位置によって画像の見え方に差異が発生し、視野にずれが生じることで正しく３Ｄ画像に見えない場合がある。
【０００４】
このように、１つの画像表示装置で複数の視聴者が３Ｄ画像を見る際の問題点を解決する技術が特許文献１に開示されている。特許文献１で開示された技術では、１つの画像表示装置で複数の視聴者が同時に３Ｄ画像を視聴する場合に、視聴者ごとに左目用の画像及び右目用の画像を再生し、各視聴者が装着するシャッタ付き眼鏡を適宜制御する。より具体的には、第１の視聴者の左目用の画像を再生しているときには、第１の視聴者の左目用のシャッタを開き、第１の視聴者の右目用のシャッタ及び他の視聴者のシャッタを全て閉じる。次に、第１の視聴者の右目用の画像を再生しているときには、第１の視聴者の右目用のシャッタに限り開く。以上のように、特許文献１で開示された技術は、複数の視聴者が３Ｄ画像を１つのモニタ上で同時かつ独立して視聴することを可能にしている。
【先行技術文献】
【特許文献】
【０００５】
【特許文献１】特開平１０−２６０３７７号公報
【発明の概要】
【発明が解決しようとする課題】
【０００６】
なお、上記先行技術文献の各開示を、本書に引用をもって繰り込むものとする。以下の分析は、本発明の観点からなされたものである。
【０００７】
上述のように、特許文献１に開示された画像表示装置は、１つの画像表示装置で複数の視聴者が３Ｄ画像を見る際の問題点を解決している。しかし、特許文献１で開示された３Ｄ画像の視聴方法では、各視聴者のシャッタが開いている時間が短く、特許文献１の画像表示装置で再生される３Ｄ画像は実際の画像よりも暗く認識されてしまう。
【０００８】
図２に、特許文献１の図３を示す。図２（特許文献１の図３）では、３人の視聴者が独立して３Ｄ画像を視聴する際の各視聴者のシャッタの開閉状態を示している。図２から、３Ｄ画像を各視聴者に独立して認識させるために、各視聴者のシャッタを順次開閉していることがわかる。このような方法では、３人の視聴者に対して合計６回のシャッタの開閉が１サイクルとなり、１サイクルにおいて各視聴者のシャッタは閉じている時間の方が長いため、３Ｄ画像は実際よりも暗く認識されてしまう。
【０００９】
以上のとおり、特許文献１で開示された技術には、解決すべき問題点が存在する。そこで、１つの画像表示装置で複数の視聴者が３Ｄ画像を視聴する際に、３Ｄ画像の明るさを向上させることができる画像表示装置、その制御方法及びプログラム、が望まれる。
【課題を解決するための手段】
【００１０】
本発明の第１の視点によれば、立体画像の生成が可能な画像生成部と、視聴者の左目に対する光の透過及び遮断が可能な左目用シャッタと、視聴者の右目に対する光の透過及び遮断が可能な右目用シャッタと、を含む複数のシャッタ眼鏡と、前記左目用シャッタ及び前記右目用シャッタの開閉を制御可能なシャッタ制御部と、を備え前記シャッタ制御部は、前記画像生成部が生成する立体画像に基づいて、前記複数のシャッタ眼鏡の前記左目用シャッタ又は前記右目用シャッタのいずれかの開閉制御を共通して行なうと共に、前記左目用シャッタ又は右目用シャッタの開閉制御を共通して行なうシャッタとは異なる前記左目用シャッタ又は前記右目用シャッタの開閉制御を前記複数のシャッタ眼鏡ごとに独立して行なう画像表示装置が提供される。
【００１１】
本発明の第２の視点によれば、立体画像の生成が可能な画像生成部と、視聴者の左目に対する光の透過及び遮断が可能な左目用シャッタと、視聴者の右目に対する光の透過及び遮断が可能な右目用シャッタと、を含む複数のシャッタ眼鏡と、を備える画像表示装置の制御方法であって、前記画像生成部が生成する立体画像に基づいて、前記複数のシャッタ眼鏡の前記左目用シャッタ又は前記右目用シャッタのいずれかの開閉制御を共通して行なう工程と、前記左目用シャッタ又は右目用シャッタの開閉制御を共通して行なうシャッタとは異なる前記左目用シャッタ又は前記右目用シャッタの開閉制御を前記複数のシャッタ眼鏡ごとに独立して行う工程と、を含む画像表示装置の制御方法が提供される。
【００１２】
本発明の第３の視点によれば、立体画像の生成が可能な画像生成部と、視聴者の左目に対する光の透過及び遮断が可能な左目用シャッタと、視聴者の右目に対する光の透過及び遮断が可能な右目用シャッタと、を含む複数のシャッタ眼鏡と、を備える画像表示装置を制御するコンピュータに実行させるプログラムであって、前記画像生成部が生成する立体画像に基づいて、前記複数のシャッタ眼鏡の前記左目用シャッタ又は前記右目用シャッタのいずれかの開閉制御を共通して行なう処理と、前記左目用シャッタ又は右目用シャッタの開閉制御を共通して行なうシャッタとは異なる前記左目用シャッタ又は前記右目用シャッタの開閉制御を前記複数のシャッタ眼鏡ごとに独立して行う処理と、を実行するプログラムが提供される。
【発明の効果】
【００１３】
本発明の各視点によれば、１つの画像表示装置で複数の視聴者が３Ｄ画像を視聴する際に、３Ｄ画像の明るさを向上させることができる画像表示装置、その制御方法及びプログラム、が提供される。
【図面の簡単な説明】
【００１４】
【図１】本発明の実施形態の概要を説明するための図である。
【図２】従来の画像表示装置の動作を説明するための図である（特許文献１の図３）。
【図３】立体画像を視聴する視聴者の位置と立体画像の関係を説明するための図である。
【図４】本発明の第１の実施形態に係る画像表示装置の構成の一例を示す図である。
【図５】図４に示す画像表示装置の全体の動作の一例を示すフローチャートである。
【図６】図４に示す共通シャッタコントローラの動作の一例を示すフローチャートである。
【図７】図４に示す独立シャッタコントローラの動作の一例を示すフローチャートである。
【図８】図４に示すシャッタ眼鏡の動作の一例を示すフローチャートである。
【図９】３人の視聴者が装着したシャッタ眼鏡のシャッタの開閉動作の一例を示す図である。
【発明を実施するための形態】
【００１５】
初めに、図１を用いて実施形態の概要について説明する。なお、この概要に付記した図面参照符号は、理解を助けるための一例として各要素に便宜上付記したものであり、本発明を図示の態様に限定することを意図するものではない。
【００１６】
上述のように、１つの画像表示装置で複数の人間が立体画像を視聴すると視聴者の位置によっては正しく３Ｄ画像を認識することができない場合がある。その際に各視聴者に対して独立した画像を認識させることで、１つの画像表示装置で複数の視聴者が正しく３Ｄ画像を認識することができるようになる。しかし、このような方法では、視聴者が使用するシャッタ眼鏡が閉じている時間が長くなり、実際の３Ｄ画像よりも暗く感じられてしまうという問題がある。そのため、１つの画像表示装置で複数の視聴者が３Ｄ画像を視聴する際に、３Ｄ画像の明るさを向上させることができる画像表示装置が望まれる。
【００１７】
そこで、一例として図１に示す画像表示装置を提供する。図１に示す画像表示装置は、立体画像の生成が可能な画像生成部と、視聴者の左目に対する光の透過及び遮断が可能な左目用シャッタと、視聴者の右目に対する光の透過及び遮断が可能な右目用シャッタと、を含む複数のシャッタ眼鏡と、左目用シャッタ及び右目用シャッタの開閉を制御可能なシャッタ制御部と、を備えている。画像生成部が立体画像を生成し、シャッタ制御部に出力する。シャッタ制御部では、画像生成部の生成した立体画像から、シャッタ眼鏡のうち左目又は右目のシャッタのうちいずれかのシャッタの開閉を共通して制御する。そして、共通して開閉制御を行わなかった他方のシャッタを独立して制御する。
【００１８】
例えば、複数のシャッタ眼鏡のシャッタのうち右目用のシャッタの開閉制御を共通して行ったとすると、複数のシャッタ眼鏡のうち左目用のシャッタについては独立して開閉を制御する。このように、各視聴者の左目用の立体画像又は右目用の立体画像を共有し、他方の立体画像は各視聴者に独立して認識させる。その結果、各視聴者あたりの画像表示期間が長くなり、各視聴者で認識できる立体画像の明るさを向上させることができる。
【００１９】
ここで、各視聴者の片目に共通の画像を認識させ、他方の目に視聴者ごとの画像を認識させることで、正しく３Ｄ画像を視聴できることを説明する。図３は、視聴者と表示対象の関係の一例を示す図である。視聴者１は、画像表示装置に対して正面に位置しており、視聴者２は、画像表示装置に対して正面からずれて位置しているものとする。視聴者１は、画像表示装置１に表示される左目用画像と右目用画像によって正しく３Ｄ画像を認識することができる。視聴者１に対しては、左目用画像及び右目用画像共に補正する必要はない。しかし、視聴者２は、左目用画像と右目用画像を正しく３Ｄ画像として認識できない。そこで、視聴者２に対しては３Ｄ画像の補正が必要となる。その際の補正は、左目用画像又は右目用画像のいずれかに対してのみ行う。図３においては、右目用画像に対しては補正を行わず、左目用画像に対して補正を行っている。即ち、視聴者２の右目に対する画像は視聴者１の右目に対する画像と共通にしつつ、視聴者２の左目に対する画像は視聴者２の画像表示装置に対する位置に応じて補正する。その結果、視聴者２においても、両目の視差量のずれが修正され正しく３Ｄ画像を認識することができる。
【００２０】
［第１の実施形態］
次に、本発明の第１の実施形態について、図面を用いてより詳細に説明する。図４は、本実施形態に係る画像表示装置１の構成の一例を示す図である。図４に示す画像表示装置１は、画像生成部１０と、モニタ２０と、シャッタ制御部３０と、シャッタ眼鏡４１乃至４３から構成されている。
【００２１】
画像生成部１０において、モニタ２０に表示する３Ｄ画像の生成を行う。画像生成部１０が生成する３Ｄ画像は、シャッタ制御部３０に対しても出力される。シャッタ制御部３０は、各視聴者５１乃至５３が装着しているシャッタ眼鏡の開閉制御を行う。さらに、シャッタ制御部３０は、共通シャッタコントローラ３０１と、独立シャッタコントローラ３０２乃至３０４から構成されている。
【００２２】
画像生成部１０から出力された３Ｄ画像は、共通シャッタコントローラ３０１と、独立シャッタコントローラ３０２乃至３０４に入力される。共通シャッタコントローラ３０１は、シャッタ眼鏡４１乃至４３の開閉を共通して制御する。独立シャッタコントローラ３０２はシャッタ眼鏡４１の開閉を、独立シャッタコントローラ３０３はシャッタ眼鏡４２の開閉を、独立シャッタコントローラ３０４はシャッタ眼鏡４３の開閉を、それぞれ制御する。
【００２３】
シャッタ眼鏡４１乃至４３は、それぞれ左目用シャッタ（４１１、４２１、４３１）と右目用シャッタ（４１２、４２２、４３２）を備えている。シャッタ眼鏡４１乃至４３には液晶シャッタを用いることとする。各シャッタ眼鏡の左目用シャッタ（４１１、４２１、４３１）は、対応する独立シャッタコントローラ３０２乃至３０４によってシャッタの開閉が指示される。各シャッタ眼鏡の左目用シャッタ（４１１、４２１、４３１）によって、視聴者５１乃至５３の左目にモニタ２０の表示画像を認識させるか否か決定する。各シャッタ眼鏡の右目用シャッタ（４１２、４２２、４３２）は、共通シャッタコントローラ３０１によってシャッタの開閉が指示され、視聴者５１乃至５３の右目にモニタ２０の表示画像を認識させるか否か決定する。
【００２４】
また、画像生成部１０及びシャッタ制御部３０と、シャッタ眼鏡４１乃至４３は有線又は無線によって接続されており、各シャッタ眼鏡４１乃至４３の位置情報を取得することができる。さらに、画像生成部１０では、シャッタ眼鏡４１乃至４３から取得した位置情報に基づいて必要な補正を行った３Ｄ画像を生成する。なお、本実施形態に係る画像表示装置１の説明においては、視聴者は３人としているが、これに限定する趣旨ではない。
【００２５】
次に、画像表示装置１の動作について説明する。図５は、画像表示装置１の全体の動作の一例を示すフローチャートである。
【００２６】
ステップＳ０１において、画像生成部１０から３Ｄ画像がモニタ２０に入力され、モニタ２０が３Ｄ画像を表示する。
【００２７】
ステップＳ０２において、画像生成部１０からシャッタ制御部３０（共通シャッタコントローラ３０１、独立シャッタコントローラ３０２乃至３０４）に３Ｄ画像が出力される。
【００２８】
ステップＳ０３において、シャッタ制御部３０（共通シャッタコントローラ３０１、独立シャッタコントローラ３０２乃至３０４）が画像生成部１０から入力された３Ｄ画像に基づいて、制御対象となるシャッタ眼鏡を判別する。本ステップの詳細については後述する。
【００２９】
ステップＳ０４において、シャッタ眼鏡４１乃至４３は、シャッタ制御部３０（共通シャッタコントローラ３０１、独立シャッタコントローラ３０２乃至３０４）の指示に基づいて左右のシャッタの開閉を行う。本ステップの詳細については後述する。
【００３０】
次に、シャッタ制御部３０（共通シャッタコントローラ３０１、独立シャッタコントローラ３０２乃至３０４）の動作について説明する。
【００３１】
初めに、共通シャッタコントローラ３０１の動作について説明する。図６は、共通シャッタコントローラ３０１の動作の一例を示すフローチャートである。
【００３２】
ステップＳ１１で、画像生成部１０が出力する３Ｄ画像を受け付ける。
【００３３】
ステップＳ１２では、３Ｄ画像に予め付与されている情報に基づいて、受け付けた３Ｄ画像が右目用の画像か否か判断する。右目用の画像と判断すればステップＳ１３に遷移する。右目用の画像でなければ、ステップＳ１４に遷移する。
【００３４】
ステップＳ１３では、シャッタ眼鏡４１乃至４３に対して右目用シャッタ（４１２、４２２、４３２）を開ける指示を行う。
【００３５】
ステップＳ１４では、シャッタ眼鏡４１乃至４３に対して右目用シャッタ（４１２、４２２、４３２）を閉じる指示を行う。このような制御を行うことで、視聴者５１乃至５３は右目用の３Ｄ画像を共有する。
【００３６】
続いて、独立シャッタコントローラ３０２乃至３０４の動作について説明する。なお、独立シャッタコントローラ３０２乃至３０４の動作は、それぞれ制御対象が異なるのみであり、動作アルゴリズムは同一であるので独立シャッタコントローラ３０２を例に取り、動作を説明する。図７は、独立シャッタコントローラ３０２の動作の一例を示すフローチャートである。
【００３７】
ステップＳ２１で、画像生成部１０が出力する３Ｄ画像を受け付ける。
【００３８】
ステップＳ２２では、３Ｄ画像に予め付与されている情報に基づいて、受け付けた３Ｄ画像がシャッタ眼鏡４１の左目用の画像か否か判断する。左目用の画像と判断すればステップＳ２３に遷移する。左目用の画像でなければ、ステップＳ２４に遷移する。
【００３９】
ステップＳ２３では、シャッタ眼鏡４１に対して左目用シャッタ４１１を開ける指示を行う。
【００４０】
ステップＳ２４では、シャッタ眼鏡４１に対して左目用シャッタ４１１を閉じる指示を行う。このように、視聴者５１の左目に認識させる画像を制御する。
【００４１】
次に、シャッタ眼鏡４１乃至４３の動作について説明する。なお、シャッタ眼鏡４１乃至４３の動作は、シャッタ眼鏡を制御するコントローラが異なるのみであり、動作アルゴリズムは同一であるのでシャッタ眼鏡４１を例に取り、その動作を説明する。図８は、シャッタ眼鏡４１の動作の一例を示すフローチャートである。
【００４２】
ステップＳ３１で、独立シャッタコントローラ３０２の指示を受け取る。
【００４３】
ステップＳ３２では、受け付けた指示がシャッタ眼鏡４１の右目用シャッタ４１１に対するものか否かを判断する。右目用シャッタ４１１に対する指示と判断すればステップＳ３３に遷移する。右目用シャッタ４１１に対する指示ではないと判断すればステップＳ３４に遷移する。
【００４４】
ステップＳ３３では、受け付けた指示が右目用シャッタ４１１の開ける指示か否かを判断する。開ける指示と判断すればステップＳ３５に遷移する。開ける指示ではない（閉じる指示）と判断すればステップＳ３６に遷移する。
【００４５】
ステップＳ３４では、受け付けた指示が左目用シャッタ４１２の開ける指示か否かを判断する。開ける指示と判断すればステップＳ３７に遷移する。開ける指示ではない（閉じる指示）と判断すればステップＳ３８に遷移する。
【００４６】
ステップＳ３５では、右目用シャッタ４１２を開ける。
【００４７】
ステップＳ３６では、右目用シャッタ４１２を閉じる。
【００４８】
ステップＳ３７では、左目用シャッタ４１１を開ける。
【００４９】
ステップＳ３８では、左目用シャッタ４１１を閉じる。
【００５０】
このように、視聴者５１に認識させる３Ｄ画像を、シャッタ眼鏡４１を適宜制御することによって決定する。
【００５１】
図９は、３人の視聴者５１乃至５３が装着したシャッタ眼鏡４１乃至４３のシャッタの開閉動作の一例を示す図である。図９において四角がシャッタを表し、白四角はシャッタが開いた状態であり、黒四角はシャッタが閉じている状態を示している。図９を用いて、本実施形態に係る画像表示装置１を視聴する視聴者は、モニタ２０に表示される画像が暗いとは感じない（明るく感じられる）理由について説明する。図９においては、モニタ２０に３Ｄ画像を実現する画像が以下のサイクルで表示されるものとする。
【００５２】
初めに、視聴者５１乃至５３の全員の右目に共通する画像が表示される。次に、視聴者５１の左目用の画像が表示され、続いて、視聴者５２の左目用の画像が表示される。最後に、視聴者５３の左目用の画像が表示される。
【００５３】
視聴者５３の左目用の画像が表示された後は、視聴者５１乃至５３の全員の右目に共通する画像が再び表示される。視聴者５１乃至５３の全員の右目に共通する画像が表示されると、各視聴者のシャッタ眼鏡の右目用シャッタ（４１２、４２２、４３２）が開き、左目用シャッタ（４１１、４２１、４３１）が閉じる（時刻ｔ１）。次に、視聴者５１の左目用の画像が表示されると、視聴者５１の左目用シャッタ４１１は開き、他のシャッタは閉じる（時刻ｔ２）。以下、同様にシャッタ制御部３０からの指示に基づいてシャッタの開閉が行われる。
【００５４】
なお、シャッタの切り替えはモニタ２０に表示される３Ｄ画像の垂直同期信号の切り替わりに同期して行われる。このように、各視聴者５１乃至５３の片目に共通の画像を認識させ、他方の目に画像を認識させるときは、視聴者ごとに個別の画像を認識させる。特許文献１に開示された画像表示装置では、３人の視聴者に対して６回のシャッタの開閉が１サイクルになっていたのに対し、本実施形態に係る画像表示装置１では４回のシャッタの開閉が１サイクルとなっている。そのため、視聴者５１乃至５３は、本実施形態に係る画像表示装置１のモニタ２０に映し出される３Ｄ画像が暗いと感じることはない。特許文献１に開示された画像表示装置と比較して、画像表示装置１では各シャッタが開いている時間が長いためである。
【００５５】
なお、引用した上記の特許文献等の各開示は、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００５６】
１  画像表示装置
１０  画像生成部
２０  モニタ
３０  シャッタ制御部
４１〜４３  シャッタ眼鏡
５１〜５３  視聴者
３０１  共通シャッタコントローラ
３０２〜３０４  独立シャッタコントローラ
４１１、４２１、４３１  左目用シャッタ
４１２、４２２、４３２  右目用シャッタ
【図１】
2012204915.tif 000003
【図２】
2012204915.tif 000004
【図３】
2012204915.tif 000005
【図４】
2012204915.tif 000006
【図５】
2012204915.tif 000007
【図６】
2012204915.tif 000008
【図７】
2012204915.tif 000009
【図８】
2012204915.tif 000010
【図９】
2012204915.tif 000011